(57)【要約】【課題】杭の前後位置のみならず左右側方位置にも高圧水を容易に供給することが可能な杭圧入機および杭圧入方法を提供する。【解決手段】杭Ａを掴むチャック１０と、チャック１０を昇降させる昇降体５と、昇降体５を昇降動作させる圧入機本体４を備える杭圧入機１において、圧入機本体４にウォータジェットのホース巻取り装置１５が取り付けられるとともに、昇降体５の少なくとも左側方位置と右側方位置とに別のウォータジェットのホース巻取り装置１６が、ホース２６の送り方向をチャック１０に向けた姿勢で取り付け自在であることを特徴とする。杭Ａの前後位置のみならず左右側方位置にも高圧水を容易に供給することが可能となる。必要に応じて杭Ａの前後位置および左右側方位置に高圧水を供給することで、圧入抵抗力を効果的に低減し、地盤に杭Ａを効率よく圧入することができる。【選択図】図１
2020007829.tif 000002
【特許請求の範囲】
【請求項１】
杭を掴むチャックと、前記チャックを昇降させる昇降体と、前記昇降体を昇降動作させる圧入機本体を備える杭圧入機において、
前記圧入機本体に高圧水のホース巻取り装置が取り付けられるとともに、前記昇降体の少なくとも左側方位置と右側方位置とに、別の高圧水のホース巻取り装置が、ホースの送り方向をチャックに向けた姿勢で取り付け自在であることを特徴とする、杭圧入機。
【請求項２】
前記昇降体の少なくとも左側方位置と右側方位置とにガイド面がそれぞれ形成され、
前記別の高圧水のホース巻取り装置が、各ガイド面に取り付け自在であることを特徴とする、請求項１に記載の杭圧入機。
【請求項３】
前記昇降体にカバー部材が取り付けられ、
前記カバー部材に各ガイド面が形成されていることを特徴とする、請求項２に記載の杭圧入機。
【請求項４】
前記昇降体の前方位置と左右側方位置とに延びるガイドレール部が形成され、
前記別の高圧水のホース巻取り装置が、前記ガイドレール部に沿って移動自在に取り付けられることを特徴とする、請求項１に記載の杭圧入機。
【請求項５】
前記昇降体にカバー部材が取り付けられ、
前記カバー部材に前記ガイドレール部が形成されていることを特徴とする、請求項４に記載の杭圧入機。
【請求項６】
請求項１〜５のいずれか一項に記載された杭圧入機を用いて地盤に圧入する方法であって、
前記チャックで掴まれた杭の後方位置と、少なくとも左側方位置と右側方位のいずれかとに高圧水を供給して、地盤に圧入することを特徴とする、杭圧入方法。
【発明の詳細な説明】
【技術分野】
【０００１】
本発明は、ウォータジェット工法により杭を地盤に圧入する杭圧入機および杭圧入方法に関する。
【背景技術】
【０００２】
建築物の基礎構造や河川の護岸工事、橋梁などの土木作業等において、鋼管杭、鋼管矢板、コンクリート矢板など（本明細書では、これらを総称して単に「杭」という）が広く利用されている。杭を地盤に打ち込む工法として、ハンマ等の打撃による工法も知られているが、この工法は振動や騒音が激しいため施工場所に制限があるという欠点がある。そこで、既に地盤に打設された既設杭を把持して反力を取り、チャック等で把持した新しい杭を順次地盤に圧入していく杭圧入機が採用されている。
【０００３】
杭圧入機によって杭を地盤に圧入する場合、硬質地盤等への対策として、高圧水（ウォータジェット）を併用するウォータジェット工法が知られている。ウォータジェット工法では、圧入される杭の先端近傍にウォータジェットノズルを取り付け、ホースを介して高圧水を供給して、杭の圧入抵抗力を低減することにより、地盤に杭を効率よく圧入することができる。
【０００４】
このようなウォータジェット工法を実施する杭圧入機に関し、特許文献１には、ウォータジェットホースを巻き取る巻取機構を設けた杭圧入機が開示されている。さらに特許文献２には、杭を掴むチャックの前後位置にホース巻取り装置を搭載した杭圧入機が開示されている。
【先行技術文献】
【特許文献】
【０００５】
【特許文献１】実開昭６４−５３２３９号公報
【特許文献２】特許第３６４８３８７号公報
【発明の概要】
【発明が解決しようとする課題】
【０００６】
ところで、特許文献１の杭圧入機は巻取機構が一箇所にしか設けられていないため、例えば杭の反対側に高圧水を供給することが困難であった。一方、特許文献２の杭圧入機によれば、チャックの前後位置にホース巻取り装置があるため、例えば前後位置に継手を有する鋼管矢板を圧入するような場合には、高圧水によって前後に位置するセクション部（継手部分）の閉塞を回避しながら、杭（鋼管矢板）を硬質地盤などに圧入することが可能となる。
【０００７】
しかしながら、高圧水の供給が必要になる位置は、杭の前後位置には限られない。例えば、より硬質な地盤に杭を圧入する場合、杭の前後位置のみならず、杭の左右側方位置にも高圧水を供給することが必要になる。また、継手の位置は鋼管矢板の前後位置に限られず、例えば左側方や右側方に継手が配置される場合は、セクション部（継手部分）の閉塞を回避するために、杭の左側方位置や右側方位置に高圧水を供給することが必要になる。特許文献２の杭圧入機は、ホース巻取り装置がチャックの前後位置に限られており、杭の左右側方位置にまで高圧水を供給するために、別途、地上に設置したホース巻取り装置等から高圧水を供給することが必要になる場合があった。
【０００８】
ところが、別途、地上に設置したホース巻取り装置は、杭圧入機に設けられたホース巻取り装置とは異なり、杭の圧入の度に一々移動させる作業を要し、また、ホース巻取り装置の操作も、圧入機と連動させて別途必要となり、作業が煩雑となる。更に近年では、硬質な地盤においても大型で長い杭を圧入できるように、杭の前後位置のみならず、杭の左右側方位置にも高圧水を供給して圧入抵抗力を低減し、地盤に杭を効率よく圧入することが求められている。
【０００９】
本発明の目的は、杭の左右側方位置にも高圧水を容易に供給することが可能な杭圧入機および杭圧入方法を提供することにある。
【課題を解決するための手段】
【００１０】
前記の目的を達成するため、本発明によれば、杭を掴むチャックと、前記チャックを昇降させる昇降体と、前記昇降体を昇降動作させる圧入機本体を備える杭圧入機において、前記圧入機本体に高圧水のホース巻取り装置が取り付けられるとともに、前記昇降体の少なくとも左側方位置と右側方位置とに別の高圧水のホース巻取り装置が、ホースの送り方向をチャックに向けた姿勢で取り付け自在であることを特徴とする、杭圧入機が提供される。
【００１１】
本発明の杭圧入機にあっては、圧入機本体に取り付けられたホース巻取り装置により、圧入する杭の後方位置に高圧水を供給するとともに、別のホース巻取り装置によって、圧入する杭の左右側方位置にも高圧水を供給することができる。
【００１２】
本発明の杭圧入機において、前記昇降体の少なくとも左側方位置と右側方位置とにガイド面がそれぞれ形成され、前記別の高圧水のホース巻取り装置が、各ガイド面に取り付け自在であっても良い。その場合、前記昇降体にカバー部材が取り付けられ、前記カバー部材に各ガイド面が形成されていても良い。
【００１３】
また、本発明の杭圧入機において、前記昇降体の前方位置と左右側方位置とに延びるガイドレール部が形成され、前記別の高圧水のホース巻取り装置が、前記ガイドレール部に沿って移動自在に取り付けられていても良い。その場合、前記昇降体にカバー部材が取り付けられ、前記カバー部材に前記ガイドレール部が形成されていても良い。
【００１４】
また本発明によれば、この杭圧入機を用いて地盤に圧入する方法であって、前記チャックで掴まれた杭の後方位置と、少なくとも左側方位置と右側方位置のいずれかとに高圧水を供給して、地盤に圧入することを特徴とする、杭圧入方法が提供される。
【発明の効果】
【００１５】
本発明によれば、ウォータジェット工法により杭を地盤に圧入するに際し、杭の左右側方位置にも高圧水を容易に供給することが可能となる。必要に応じて杭の前後位置や左右側方位置に高圧水を供給することで、圧入抵抗力を効果的に低減し、地盤に杭を効率よく圧入することができる。
【図面の簡単な説明】
【００１６】
【図１】本発明の実施の形態にかかる杭圧入機の右側面図である。
【図２】本発明の実施の形態にかかる杭圧入機の平面図である。
【図３】高圧水の供給位置を説明するための杭の平面図である。
【図４】左側方に障害物が存在する場合に適用した、本発明の実施の形態にかかる杭圧入機の平面図である。
【図５】一対の継手が杭の後方と右側方に取り付けられた杭の圧入に適用した、本発明の実施の形態にかかる杭圧入機の平面図である。
【図６】支持台をボルトを用いて取り付ける形態を説明するための平面図である。
【図７】支持台をボルトを用いて取り付ける形態を説明するための右側面図である。
【図８】支持台をブラケットとピンを用いて取り付ける形態を説明するための平面図である。
【図９】支持台をブラケットとピンを用いて取り付ける形態を説明するための右側面図である。
【図１０】ガイドレール部に沿って移動させることにより別のホース巻取り装置を昇降体の前方位置と左右側方位置とに移動させる形態を説明するための平面図である。
【図１１】ガイドレール部に沿って移動させることにより別のホース巻取り装置を昇降体の前方位置と左右側方位置とに移動させる形態を説明するための右側面図である。
【図１２】ガイドレール部に沿って移動させることにより別のホース巻取り装置を昇降体の前方位置と左右側方位置とに移動させる形態を説明するための要部を拡大して示した断面図である。
【発明を実施するための形態】
【００１７】
以下、本発明の実施の形態の一例を、図面を参照しながら説明する。なお、本明細書および図面において、実質的に同一の機能構成を有する要素においては、同一の符号を付することにより重複説明を省略する。また、以下の実施の形態では、円筒形状の鋼管矢板からなる杭Ａをウォータジェット工法により地盤に圧入する例に基づいて説明する。
【００１８】
本明細書において、前方とは後述する杭圧入機１によって圧入施工を進行していく方向であり、後方とは杭圧入機１によって圧入施工を進行していく方向と反対の方向であり、図１〜１２において、紙面右側が前方であり、紙面左側が後方である。左右方向は、前方に向いた状態で決められ、図１、７、９、１１、１２において、紙面に垂直な下方が左側方であり、上方が右側方である。また、図２、３〜６、８、１０において、紙面上側が左側方であり、紙面下側が右側方である。
【００１９】
図１、２に示すように、杭圧入機１は、サドル２とマスト３からなる圧入機本体４を備えている。マスト３の前方には昇降体５が装着されており、昇降体５は、シリンダー６の稼働により、マスト３の前方において昇降移動させられる。昇降体５には、杭（鋼管矢板）Ａを掴むチャック１０が取り付けられており、昇降体５の昇降移動によってチャック１０が昇降させられ、チャック１０で掴まれた杭Ａが昇降させられる。なお、図示の形態の杭Ａは、外周面の前方と後方に、係合用のスリットを有する小径の鋼管からなる一対の継手ａ、ａを有する。
【００２０】
圧入機本体４のサドル２は、既に地盤に打設された既設杭Ａ’を把持して反力を取るための複数のクランプ１１を備えている。圧入機本体４は、既設杭Ａ’に対して、前後方向に移動することができる。
【００２１】
この杭圧入機１は、圧入機本体４に高圧水のホース巻取り装置１５が取り付けられるとともに、昇降体５の少なくとも左側方位置と右側方位置とに別の高圧水のホース巻取り装置１６が移動自在に取り付けられている。なお、以下では、圧入機本体４に取り付けられるホース巻取り装置１５と区別するために、昇降体５の前方位置と左右側方位置とに移動自在に取り付けられるホース巻取り装置１６を「別のホース巻取り装置１６」と呼ぶ。また、この実施の形態では、別のホース巻取り装置１６を昇降体５の前方位置と左右側方位置とに移動自在に取り付ける例を示している。
【００２２】
この実施の形態では、圧入機本体４に取り付けられるホース巻取り装置１５は、支持部１９を介して、マスト３の上部に配置されている。ホース巻取り装置１５は、一対のリール２０、２０を備えており、それら一対のリール２０、２０からチャック１０に向かう方向に繰り出されるホース２１、２１を介して、チャック１０で掴まれている杭Ａの先端近傍に取り付けられたウォータジェットノズルｂ（図３に示す）に高圧水（ウォータジェット）が供給される。図１、２に示す実施の形態では、杭Ａの先端近傍の外周面において、後方の継手ａの左右両側、前方の継手ａの左右両側、および、杭Ａの左右両側方に、合計で６個のウォータジェットノズルｂが取り付けられている。そして、ホース巻取り装置１５の各リール２０、２０から繰り出されるホース２１、２１により、後方の継手ａの左右両側のウォータジェットノズルｂに、高圧水がそれぞれ供給される。昇降体５の上面には、リール２０、２０から繰り出されるホース２１、２１を後方の継手ａの左右両側のウォータジェットノズルｂに案内するためのガイドローラ２２が取り付けられている。なお、ホース巻取り装置１５の各リール２０、２０から繰り出されるホース２１、２１は、後方の継手ａに干渉せずに、後方の継手ａの左右両側のウォータジェットノズルｂに接続される。
【００２３】
また、この実施の形態では、二つの別のホース巻取り装置１６を有しており、昇降体５の左側方位置と右側方位置とに別のホース巻取り装置１６がそれぞれ取り付けられている。これら別のホース巻取り装置１６は、いずれも一対のリール２５、２５を備えており、それら一対のリール２５、２５からチャック１０に向かう方向に繰り出されるホース２６、２６介して、チャック１０で掴まれている杭Ａの先端近傍に取り付けられたウォータジェットノズルｂ（図３に示す）に高圧水（ウォータジェット）が供給される。そして、左側方位置に配置された別のホース巻取り装置１６の各リール２５、２５から繰り出されるホース２６、２６により、前方の継手ａの左側のウォータジェットノズルｂと杭Ａの左側方のウォータジェットノズルｂに、高圧水がそれぞれ供給され、右側方位置に配置された別のホース巻取り装置１６の各リール２５、２５から繰り出されるホース２６、２６により、前方の継手ａの右側のウォータジェットノズルｂと杭Ａの右側方のウォータジェットノズルｂに、高圧水がそれぞれ供給される。
【００２４】
この実施の形態では、昇降体５の上面前方を覆うようにカバー部材３０が取り付けられており、このカバー部材３０に、昇降体５の前方に位置するガイド面３１と、左右側方に位置するガイド面３２、３２が形成されている。また、各ガイド面３１、３２、３２には、別のホース巻取り装置１６を支持する支持台３５が取り付け自在となっている。図１、２では、カバー部材３０に形成された左側方のガイド面３２に、支持台３５を介して、左側方位置に配置された別のホース巻取り装置１６が、ホース２６の送り方向をチャック１０に向けた姿勢で取り付けられ、同様に、カバー部材３０に形成された右側方のガイド面３２に、支持台３５を介して、右側方位置に配置された別のホース巻取り装置１６がホース２６の送り方向をチャック１０に向けた姿勢で取り付けられた状態を示している。支持台３５の下面には、別のホース巻取り装置１６の各リール２５、２５から繰り出されるホース２６、２６を前方の継手ａの左右両側のウォータジェットノズルｂおよび杭Ａの左右側方のウォータジェットノズルｂにそれぞれ案内するためのガイドローラ３６が取り付けられている。なお、左側方位置に配置された別のホース巻取り装置１６の各リール２５、２５から繰り出されるホース２６、２６は、前方の継手ａに干渉せずに、前方の継手ａの左側のウォータジェットノズルｂと杭Ａの左側方のウォータジェットノズルｂに接続される。同様に、右側方位置に配置された別のホース巻取り装置１６の各リール２５、２５から繰り出されるホース２６、２６は、前方の継手ａに干渉せずに、前方の継手ａの右側のウォータジェットノズルｂと杭Ａの右側方のウォータジェットノズルｂに接続される。
【００２５】
次に、以上の杭圧入機１を用いて杭Ａを地盤に圧入する方法について説明する。先ず、複数のクランプ１１により既設杭Ａ’を把持して圧入機本体４を地盤に固定する。そして、これから地盤に圧入する杭Ａをチャック１０で掴む。そして、クランプ１１で反力を取った状態で、シリンダー６の稼働により昇降体５を下降させることにより、チャック１０で掴んだ杭Ａを地盤に圧入していく。また、硬質地盤等へ杭Ａを圧入する場合、昇降体５による下降に合わせて、ホース巻取り装置１５のリール２０、２０からホース２１、２１を繰り出しながら、杭Ａの先端近傍に取り付けられたウォータジェットノズルｂに高圧水を供給するとともに、二つの別のホース巻取り装置１６のリール２５、２５からホース２６、２６を繰り出しながら、ウォータジェットノズルｂに高圧水を供給する。
【００２６】
ここで、図１、２に示した示す実施の形態では、杭Ａの先端近傍の外周面において、後方の継手ａの左右両側、前方の継手ａの左右両側、および、杭Ａの左右両側方に、合計で６個のウォータジェットノズルｂが取り付けられており、ホース巻取り装置１５の各リール２０、２０から繰り出されるホース２１、２１により、後方の継手ａの左右両側のウォータジェットノズルｂに、高圧水がそれぞれ供給され、二つの別のホース巻取り装置１６から繰り出されるホース２６、２６により、前方の継手ａの左右両側のウォータジェットノズルｂおよび杭Ａの左右側方のウォータジェットノズルｂに、高圧水がそれぞれ供給される。こうして、図３に示すように、杭Ａ先端のほぼ全周において、ウォータジェット工法を用いて圧入抵抗力を低減しながら、地盤に杭Ａを効率よく圧入することができる。また、杭Ａの前方および後方のセクション部（継手部分）では、継手ａの閉塞を回避しながら、杭Ａを円滑に圧入することが可能となる。
【００２７】
そして、昇降体５を所定のストロークで下降させた後、チャック１０による杭Ａの把持を一旦開放する。そして、シリンダー６の稼働により昇降体５を上昇させ、再び杭Ａをチャック１０で掴む。そして、シリンダー６の稼働により昇降体５を下降させることにより、チャック１０で掴んだ杭Ａを地盤に圧入する。かかる工程を繰り返すことにより、所定の深さまで杭Ａを地盤に圧入する。こうして、杭Ａを地盤に圧入した後、チャック１０による杭Ａの把持を開放する。そして、ホース巻取り装置１５のリール２０、２０と別のホース巻取り装置１６のリール２５、２５が回転することにより、ホース２１、２１およびホース２６、２６が地中から抜き取られる。なお、このように、ホース２１、２１およびホース２６、２６が地中から抜き取る前に、ウォータジェットノズルｂからホース２１、ホース２６を引き抜くための”縁切り”を行っても良い。ホース巻取り装置１５のホース２１の”縁切り”は、ホース巻取り装置１５の各リール２０、２０の回転をロックした状態で、チャック１０で杭Ａを把持し、シリンダー６の稼働により昇降体５を下降させることにより行われる。別のホース巻取り装置１６のホース２６の”縁切り”は、チャック１０による杭Ａの把持を開放したまま、別のホース巻取り装置１６の各リール２５、２５の回転をロックした状態で、シリンダー６の稼働により昇降体５を上昇させることにより行われる。そして、ホース２１、２１およびホース２６、２６が地中から抜き取られた後、以下同様にして、順次、次の杭Ａを地盤に圧入していく。
【００２８】
なお、この杭圧入機１にあっては、別のホース巻取り装置１６が昇降体５の前方位置と左右側方位置とに任意に取り付け自在であるため、状況に応じて、別のホース巻取り装置１６の取り付け位置を適宜変更することができる。施工現場によっては、杭圧入機１の側方に障害物が存在し、別のホース巻取り装置１６の取り付け位置が制限される場合もある。例えば図４に示すように、左側方に壁などの障害物４０が存在する場合、障害物４０が邪魔となり、昇降体５の左側方位置に別のホース巻取り装置１６を取り付けることが困難である。かかる場合は、別のホース巻取り装置１６を昇降体５の前方位置と右側方位置とに、ホース２６の送り方向をチャック１０に向けた姿勢で取り付けることにより、図３に示した場合と同様に、後方の継手ａの左右両側、前方の継手ａの左右両側、および、杭Ａの左右両側方の合計６個のウォータジェットノズルｂに高圧水を供給することが可能である。こうして、杭Ａ先端のほぼ全周において、ウォータジェット工法を用いて圧入抵抗力を低減しながら、地盤に杭Ａを効率よく圧入することができる。
【００２９】
また、杭Ａの外周面に取り付けられる一対の継手ａ、ａは、杭Ａの前方と後方にあるとは限らない。設置レイアウトによっては、杭Ａの配列を曲げるコーナー部分では、一対の継手ａ、ａの位置関係が、杭Ａの中心を挟んで所定の角度に曲げて配置される場合もある。その一例として、図５に示す例では、一対の継手ａ、ａが杭Ａの後方と右側方に取り付けられた杭Ａをチャック１０で掴んでいる状態を示している。このような杭Ａを地盤に圧入する場合、別のホース巻取り装置１６を昇降体５の右側方位置にホース２６の送り方向をチャック１０に向けた姿勢で取り付ける。これにより、ホース巻取り装置１５から繰り出したホース２１、２１で、後方の継手ａの左右両側のウォータジェットノズルｂに高圧水を供給し、別のホース巻取り装置１６から繰り出したホース２６、２６で、右側方の継手ａの前後のウォータジェットノズルｂに高圧水を供給することができる。その結果、杭Ａの後方および右側方のセクション部（継手部分）において、継手ａの閉塞を回避しながら、杭Ａを円滑に圧入することが可能となる。また、別のホース巻取り装置１６の取り付け位置を適宜変更することにより、高圧水の供給に適した位置に別のホース巻取り装置１６を配置することができ、ホース２６、２６が継手ａや杭Ａに不用意に巻き付くことを防止でき、ホース２６、２６の損傷が回避される。
【００３０】
例えば図６、７に示すように、カバー部材３０に形成された各ガイド面３１、３２、３２に対して、支持台３５をボルト４１を用いて取り付けることにより、別のホース巻取り装置１６を各ガイド面３１、３２、３２に対して容易に取り付け、取り外しすることが可能となる。また、例えば図８、９に示すように、カバー部材３０に形成された各ガイド面３１、３２、３２に適当なブラケット４２を設けると共に、支持台３５にブラケット４２を受容するブラケット受け部４３を設け、これらブラケット４２とブラケット受け部４３をピン４４で接続することによって、別のホース巻取り装置１６を各ガイド面３１、３２、３２に対して取り付け、取り外しするようにしても良い。
【００３１】
また、例えば図１０〜１２に示すように、昇降体５の上面前方を覆うように取り付けられたカバー部材３０に、昇降体５の前方位置と左右側方位置とに延びるガイドレール部５０を形成し、このガイドレール部５０内をスライド移動する移動部材５１に支持台３５を取り付けることにより、支持台３５をガイドレール部５０に沿って移動させるようにしても良い。このようにガイドレール部５０に沿って移動する支持台３５に別のホース巻取り装置１６を取り付けることにより、別のホース巻取り装置１６を昇降体５の前方位置と左右側方位置とに移動自在な構成とすることができる。
【００３２】
以上、添付図面を参照しながら本発明の実施の形態の一例について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。杭圧入機は、圧入と引き抜きの両方を行う杭圧入引抜装置を含む。また、本発明は、鋼管矢板に限らず、他の種類の杭（例えば、鋼矢板・鋼管杭・コンクリート杭等）の圧入にも同様に適用できる。
【００３３】
例えば図１、２では、別のホース巻取り装置１６を昇降体５の前方位置と左右側方位置とに取り付ける例を示したが、別のホース巻取り装置１６は昇降体５の少なくとも左側方位置と右側方位置とに取り付けられれば良い。また、例えば図１、２では、二つの別のホース巻取り装置１６を取り付ける例を示したが、一つの別のホース巻取り装置１６を、昇降体５の左側方位置と右側方位置のいずれかにホース２６の送り方向をチャック１０に向けた姿勢で取り付けても良いし、あるいは、昇降体５の左側方位置と右側方位置の全部に別のホース巻取り装置１６をホース２６の送り方向をチャック１０に向けた姿勢で取り付けることもできる。より硬質な地盤に杭Ａを圧入する場合や、大口径の鋼管杭を地盤に圧入する場合、別のホース巻取り装置１６の台数を増やすことにより、圧入抵抗力をより効果的に低減することができ、またホース巻取り装置の大型化や必要以上に高出力の高圧水供給源を用いることが回避される。また、昇降体５の上面前方を覆うようにカバー部材３０が取り付け、このカバー部材３０に形成した各ガイド面３１、ガイド面３２、３２に別のホース巻取り装置１６を取り付ける例を示したが、カバー部材３０を省略し、別のホース巻取り装置１６を昇降体５に直接取り付けても良い。なお、別のホース巻取り装置１６の各リール２５、２５から繰り出されるホース２６、２６は、ガイドローラ２２で案内してチャック１０の外側からウォータジェットノズルｂに接続するようにすると、チャック１０によるホース２６、２６の損傷を防ぐことができる。
【００３４】
また、圧入機本体４に取り付けられるホース巻取り装置１５は、必ずしもマスト３に配置する必要はなく、例えばサドル２に配置しても良い。ホース巻取り装置１５および別のホース巻取り装置１６を杭圧入機１に搭載することにより、杭圧入機１と一緒に移動させることができ、杭Ａの圧入の度に一々移動させるといった手間が不要となる。
【産業上の利用可能性】
【００３５】
本発明は、ウォータジェット工法により杭を地盤に圧入する施工分野において有用である。
【符号の説明】
【００３６】
Ａ  杭
Ａ’  既設杭
ａ  継手
ｂ  ウォータジェットノズル
１  杭圧入機
２  サドル
３  マスト
４  圧入機本体
５  昇降体
６  シリンダー
１０  チャック
１１  クランプ
１５  ホース巻取り装置
１６  別のホース巻取り装置
１９  支持部
２０  リール
２１  ホース
２２  ガイドローラ
２５  リール
２６  ホース
３０  カバー部材
３１  （前方）ガイド面
３２  （左右側方）ガイド面
３５  支持台
３６  ガイドローラ
４０  障害物
４１  ボルト
４２  ブラケット
４３  ブラケット受け部
４４  ピン
５０  ガイドレール部
５１  移動部材
【図１】
2020007829.tif 000003
【図２】
2020007829.tif 000004
【図３】
2020007829.tif 000005
【図４】
2020007829.tif 000006
【図５】
2020007829.tif 000007
【図６】
2020007829.tif 000008
【図７】
2020007829.tif 000009
【図８】
2020007829.tif 000010
【図９】
2020007829.tif 000011
【図１０】
2020007829.tif 000012
【図１１】
2020007829.tif 000013
【図１２】
2020007829.tif 000014